(57)【要約】【課題】  電子レンジで加熱した後に調理物を移し替えることなくそのまま食器として使用でき、しかも加熱後は手袋を装着することなく食卓まで安全に持ち運びできる電子レンジ調理兼用食器を提供する。【解決手段】  容器本体１０は上面が開放された陶磁器又は耐熱ガラス製で、容器本体１０の対向する縁部を側方へ張り出させて鍔状の取っ手１１を形成し、容器本体１０の上部に熱伝導性の低い材料又は断熱性の材料で構成した蓋２０を脱着自在に備え、蓋２０の対向する縁部に容器本体１０の取っ手１１の上下面を嵌合により被覆する弾性変形可能な被覆部２１を形成し、被覆部２１を持つことで加熱された容器本体１０を手袋の装着を要することなく持ち運びできるようにした。【選択図】図１
0003126303.tif 000002
【実用新案登録請求の範囲】
【請求項１】
容器本体に調理物を入れて電子レンジで加熱した後に調理物を移し替えることなく食器として使用できるようにした電子レンジ調理兼用食器であって、前記容器本体は上面が開放された陶磁器又は耐熱ガラス製で、容器本体の対向する縁部を側方へ張り出させて鍔状の取っ手を形成し、容器本体の上部に熱伝導性の低い材料又は断熱性の材料で構成した蓋を脱着自在に備え、蓋の対向する縁部に容器本体の取っ手の上下面を嵌合により被覆する弾性変形可能な被覆部を形成し、被覆部を持つことで加熱された容器本体を火傷なく持ち運びできるようにしたことをことを特徴とする、電子レンジ調理兼用食器。
【請求項２】
被覆部の端部に容器本体の側面を被覆する延長部を形成した、請求項１記載の電子レンジ調理兼用食器。
【請求項３】
被覆部と延長部の間の外側にスリットを形成して曲折自在にした、請求項２記載の電子レンジ調理兼用食器。
【請求項４】
被覆部の折り返し部の内側にスリットを形成して曲折自在にした、請求項１〜３いずれか記載の電子レンジ調理兼用食器。
【請求項５】
蓋の隅部に湯切り孔を形成した、請求項１〜４いずれか記載の電子レンジ調理兼用食器。
【請求項６】
蓋の上面に細長の調理物を縦方向に通して計量するための計量孔を形成した、請求項１〜５いずれか記載の電子レンジ調理兼用食器。
【考案の詳細な説明】
【技術分野】
【０００１】
本考案は、容器本体に調理物を入れて電子レンジで加熱した後、調理物を移し替えることなく食器として使用できる電子レンジ調理兼用食器に関する。
【背景技術】
【０００２】
従来の電子レンジ用調理容器が特許文献１に開示されている。この技術は、上面が開放されたポリプロピレン製の容器本体に細長の多数の湯切り孔が一端部に形成された蓋を脱着自在に設けたことを特徴とし、容器本体にパスタと水を入れて電子レンジで加熱してゆでた後、蓋を閉めたまま容器本体を傾けて湯切り孔から湯を排出できるようにしている。ところで、前記技術では食する際に湯切りしたパスタを食器に移し替えて盛り付ける必要があり、食するまでに手間を要する問題があった。
【０００３】
そこで、上面が開放された陶磁器又は耐熱ガラス製の容器本体の隅部に板部材を湯切り口が形成されるように容器本体と所定間隔をおいて設け、電子レンジで加熱して湯切りした後に調理物を移し替えることなく食器として使用できるようにした電子レンジ調理兼用食器が提案されている。しかしながら、加熱後の容器本体は火傷するほどの高温になっているから、電子レンジから食卓までの持ち運び時に手袋を装着する手間を要していた。
【特許文献１】特開２００４−２４２７０９号公報
【考案の開示】
【考案が解決しようとする課題】
【０００４】
本考案が解決しようとする課題は、従来のこれらの問題点を解消し、電子レンジで加熱した後に調理物を移し替えることなくそのまま食器として使用でき、しかも加熱後は手袋を装着することなく食卓まで安全に持ち運びできる電子レンジ調理兼用食器を提供することにある。
【課題を解決するための手段】
【０００５】
かかる課題を解決した本考案の構成は、
１）  容器本体に調理物を入れて電子レンジで加熱した後に調理物を移し替えることなく食器として使用できるようにした電子レンジ調理兼用食器であって、前記容器本体は上面が開放された陶磁器又は耐熱ガラス製で、容器本体の対向する縁部を側方へ張り出させて鍔状の取っ手を形成し、容器本体の上部に熱伝導性の低い材料又は断熱性の材料で構成した蓋を脱着自在に備え、蓋の対向する縁部に容器本体の取っ手の上下面を嵌合により被覆する弾性変形可能な被覆部を形成し、被覆部を持つことで加熱された容器本体を火傷なく持ち運びできるようにしたことを特徴とする、電子レンジ調理兼用食器
２）  被覆部の端部に容器本体の側面を被覆する延長部を形成した、前記１）記載の電子レンジ調理兼用食器
３）  被覆部と延長部の間の外側にスリットを形成して曲折自在にした、前記２）記載の電子レンジ調理兼用食器
４）  被覆部の折り返し部の内側にスリットを形成して曲折自在にした、前記１）〜３）いずれか記載の電子レンジ調理兼用食器
５）  蓋の隅部に湯切り孔を形成した、前記１）〜４）いずれか記載の電子レンジ調理兼用食器
６）  蓋の上面に細長の調理物を縦方向に通して計量するための計量孔を形成した、前記１）〜５）いずれか記載の電子レンジ調理兼用食器
にある。
【考案の効果】
【０００６】
本考案によれば、熱伝導性の低い材料又は断熱性の材料で構成した蓋の被覆部を介して取っ手を持つことで、手袋を装着せずに加熱された容器本体を火傷なく安全に持ち運びでき、持ち運び後は調理物を食器に移し替えることなく直ちに食することができる。
【考案を実施するための最良の形態】
【０００７】
本考案の蓋としては、プラスチック（発泡体を含む）・木材・防水加工された厚紙・段ボール紙等の熱伝導性の低い材料又は断熱性の材料が用いられる。被覆部はプラスチック・紙材等の弾性変形できる材料では一体成形し、木材など硬質の材料では上下部分を分離してネジ等で脱着したり蝶番で回動自在に連結して脱着できるようにする。被覆部の端部に容器本体の側面を被覆する延長部を形成すると、指先まで火傷を防止してより安全に持ち運びができる。被覆部の折り返し部の内側にスリットを形成して曲折自在にすると、取っ手への装着が容易になる。被覆部と延長部の間の外側にスリットを形成して曲折自在にすると、同様に容器本体の側面への密接が容易になる。
【０００８】
容器本体は陶磁器又は耐熱ガラスで構成され、食器として使用できる意匠に製作される。湯切り孔としては、多数の小孔・複数本のスリット状の長孔・切り欠きによる間隙や開口など任意の形状に形成される。また、蒸気を放出させて加熱中の容器本体内の圧力を開放する開放孔を形成してもよい。以下、本考案の実施例を図面に基づいて具体的に説明する。
【実施例１】
【０００９】
図１〜６に示す実施例は、本考案の電子レンジ調理兼用食器をパスタの調理に使用した例である。図１は実施例の電子レンジ調理兼用食器の一部切り欠き斜視図、図２は図１のＡ−Ａ断面図、図３は実施例のパスタの計量を示す説明図、図４は実施例のパスタと水を入れた状態を示す説明図、図５は実施例の湯切りを示す説明図、図６は実施例の食器としての使用状態を示す説明図である。図中、１０は容器本体、１１は取っ手、１１ａは滑り止め、２０は蓋、２１は被覆部、２２は湯切り孔、２３は計量孔、Ｐはパスタ（調理物）、Ｗは水（湯）である。
【００１０】
本実施例の電子レンジ調理兼用食器は、図１，２に示すように容器本体１０は上面が開放された略楕円状の陶磁器製で、その対向する縁部を側方へ張り出させて凹所からなる滑り止め１１ａを備えた鍔状の取っ手１１をそれぞれ形成している。容器本体１０の上部にはプラスチック製の蓋２０を脱着自在に備え、蓋２０の対向する縁部に取っ手１１の上下面を嵌合により被覆する弾性変形可能な被覆部２１を形成し、蓋２０の隅部に多数の小孔からなる湯切り孔２２を形成し、上面にパスタＰを縦方向に通して計量する計量孔２３を形成している。
【００１１】
まず、図３に示すように蓋２０を容器本体１０に装着し、計量孔２３に所定量のパスタＰを縦方向に通して一人分（およそ１００ｇ）を計量し、蓋２０を取り外して容器本体１０に長手方向に揃えて入れる。次いで、図４に示すように容器本体１０に５００ｃｃの水Ｗと少量の塩を入れて蓋２０を装着し、電子レンジ（図示せず）で加熱してゆでる。時間は５００Ｗの電子レンジでおよそ１５分である。
【００１２】
ゆで上がった後は容器本体１０を電子レンジから取り出し、図５に示すように湯切り孔２２側を下方へ傾けて湯Ｗを湯切り孔２２から排出して湯切りする。このとき、取っ手１１は熱伝導性の低い材料の被覆部２１で被覆されているから、手袋を装着する必要がなく火傷の心配がない。湯切りした後はそのまま食卓に運んで（この際も手袋を要しない）蓋２０を取り外し、図６に示すようにミートソース等をパスタＰにかけて容器本体１０をそのまま食器として使用して食する。
【００１３】
図７に示すのは、実施例の蓋の他の例である。図７は実施例の他の例の電子レンジ調理兼用食器の縦断面図である。図中、２１ａはスリットである。図７に示す実施例の他の例では、被覆部２１の折り返し部分の内側にスリット２１ａを形成して曲折自在にし、取っ手１１からの脱着を容易にしている。その他、符号、構成、作用効果は実施例と同じである。
【００１４】
図８に示すのは、実施例の蓋の他の例である。図８は実施例の他の例の電子レンジ調理兼用食器の縦断面図である。図中、２１ｂは延長部である。図８に示す実施例の他の例では、被覆部２１の端部に容器本体１０の側面を被覆する延長部２１ｂを一体的に形成している。実施例では、被覆部２１を深く持った際に指先が容器本体１０の側面に接触して火傷をする危険があったが、この例では容器本体１０の側面まで被覆しているから、指先の火傷も防止してより安全に持ち運びができる。その他、符号、構成、作用効果は実施例と同じである。
【００１５】
図９に示すのは、実施例の蓋の他の例である。図９は実施例の他の例の電子レンジ調理兼用食器の縦断面図である。図９に示す実施例の他の例では、被覆部２１の折り返し部分の内側と、被覆部２１と延長部２１ｂの間の外側にスリット２１ａをそれぞれ形成して曲折自在にし、指先の火傷防止とともに取っ手１１からの脱着を容易にしている。その他、符号、構成、作用効果は実施例と同じである。
【００１６】
図１０に示すのは、実施例の湯切り孔の他の例である。図１０は実施例の他の例の湯切り孔の説明図である。図１０に示す実施例の他の例は、湯切り孔２２を蓋２０の隅部の平面部分に形成している。この例は、実施例のものと比較して湯切り孔２２がより隅部に有しているから、湯が残ることなく確実に湯切りできる。その他、符号、構成、作用効果は実施例と同じである。
【産業上の利用可能性】
【００１７】
本考案の電子レンジ調理兼用食器は、スパゲティやマカロニ等のパスタの他、素麺などにも応用できる。
【図面の簡単な説明】
【００１８】
【図１】実施例の電子レンジ調理兼用食器の一部切り欠き斜視図である。
【図２】図１のＡ−Ａ断面図である。
【図３】実施例のパスタの計量を示す説明図である。
【図４】実施例のパスタと水を入れた状態を示す説明図である。
【図５】実施例の湯切りを示す説明図である。
【図６】実施例の食器としての使用状態を示す説明図である。
【図７】実施例の他の例の電子レンジ調理兼用食器の縦断面図である。
【図８】実施例の他の例の電子レンジ調理兼用食器の縦断面図である。
【図９】実施例の他の例の電子レンジ調理兼用食器の縦断面図である。
【図１０】実施例の他の例の湯切り孔の説明図である。
【符号の説明】
【００１９】
１０  容器本体
１１  取っ手
１１ａ  滑り止め
２０  蓋
２１  被覆部
２１ａ  スリット
２１ｂ  延長部
２２  湯切り孔
２３  計量孔
Ｐ  パスタ（調理物）
Ｗ  水（湯）
【図１】
0003126303.tif 000003
【図２】
0003126303.tif 000004
【図３】
0003126303.tif 000005
【図４】
0003126303.tif 000006
【図５】
0003126303.tif 000007
【図６】
0003126303.tif 000008
【図７】
0003126303.tif 000009
【図８】
0003126303.tif 000010
【図９】
0003126303.tif 000011
【図１０】
0003126303.tif 000012